(57)【要約】【課題】掃除の際の本体の引き回しが容易で、しかもリード線処理の容易な電気掃除機を提供する。【解決手段】塵埃を集塵する集塵室２と電動送風機３が配設された本体１と、電動機５と前記電動機５で回転駆動される走行ローラー７からなり前記本体１の下部に設けられると共に前記本体１を走行させるための電動走行ユニット４と、走行用の後部キャスター１７と、前記電動走行ユニット４と前記本体１とを連通する軸１０とを備え、前記軸１０内に、前記電動機５に給電するためのリード線１１を配したもので、じゅうたん上などの掃除でも本体１を軽く引き回すことが出来るため、掃除がけ負担が大幅軽減される。また、軸１０内にリード線１１を配することで、リード線１１の配線処理が容易で、しかも、本体１の走行時にリード線１１がねじれたりすることが無い。【選択図】図１
2008073403.tif 000002
【特許請求の範囲】
【請求項１】
塵埃を集塵する集塵室と電動送風機が配設された本体と、電動機と前記電動機で回転駆動される走行ローラーからなり前記本体の下部に設けられると共に前記本体を走行させるための電動走行ユニットと、走行用の走行キャスターまたは走行車輪と、前記電動走行ユニットと前記本体とを連通する軸とを備え、前記軸内に、前記電動機に給電するためのリード線を配した電気掃除機。
【請求項２】
軸内に配したリード線と本体側のリード線をコネクターにて接続した請求項１に記載の電気掃除機。
【請求項３】
塵埃を集塵する集塵室と電動送風機が配設された本体と、電動機と前記電動機で回転駆動される走行ローラーからなり前記本体の下部に回転自在に設けられると共に前記本体を走行させるための電動走行ユニットと、走行用の走行キャスターまたは走行車輪と、前記本体の下部に設けられ前記電動走行ユニットの回転を規制する回転規制手段とを備えた電気掃除機。
【請求項４】
塵埃を集塵する集塵室と電動送風機が配設された本体と、電動機と前記電動機で回転駆動される走行ローラーからなり前記本体の下部に設けられると共に前記本体を走行させるための電動走行ユニットと、走行用の走行キャスターまたは走行車輪とを備え、前記電動走行ユニットを、前記電動送風機の前方に位置する前記集塵室の下方に位置させた電気掃除機。
【請求項５】
塵埃を集塵する集塵室と電動送風機が配設された本体と、電動機と前記電動機で回転駆動される走行ローラーからなり前記本体の下部に設けられると共に前記本体を走行させるための電動走行ユニットと、走行用の走行キャスターまたは走行車輪とを備え、前記電動走行ユニットを前記集塵室内に突出させて設けた電気掃除機。
【発明の詳細な説明】
【技術分野】
【０００１】
本発明は、電気掃除機に関するものである。
【背景技術】
【０００２】
従来の電気掃除機について、図５を用いて説明する。
【０００３】
従来の電気掃除機は、掃除機本体３０の前方底部に設けた回転自在のキャスターローラー３１と、掃除機本体３０の後方側面に設けた後部ローラー３２によって、使用者がホース３３を引っ張って掃除機本体３０を移動する構成になっており、吸引ノズル３５で吸引された塵埃は延長管３４、ホース３３を介して掃除機本体３０の集塵室（図示せず）内に集塵される構成になっている（例えば、特許文献１参照）。
【特許文献１】特開昭６３―４９１１８号公報
【発明の開示】
【発明が解決しようとする課題】
【０００４】
しかしながら、上記従来の電気掃除機の構成では、掃除をする場合に掃除機本体３０を家中引き回す必要があり、掃除機本体３０の引き回しに力が必要で、特にじゅうたん上などでは引き回しが重くかなりの重労働になるといった課題があった。そのような場合、電動の走行ローラー等を別に補助輪として設ける等の解決策が考えられるが構造が複雑になり掃除機本体３０とのリード線処理作業が困難となる。
【０００５】
本発明は、上記従来の課題を解決するもので、電気掃除機を軽々と引き回しが出来る軽労働で使い勝手が良く、しかもリード線処理が容易な電気掃除機を提供することを目的とする。
【課題を解決するための手段】
【０００６】
上記従来の課題を解決するために、本発明の電気掃除機は、塵埃を集塵する集塵室と電動送風機が配設された本体と、電動機と前記電動機で回転駆動される走行ローラーからなり前記本体の下部に設けられると共に前記本体を走行させるための電動走行ユニットと、走行用の走行キャスターまたは走行車輪と、前記電動走行ユニットと前記本体とを連通する軸とを備え、前記軸内に、前記電動機に給電するためのリード線を配したもので、じゅうたん上などの掃除でも本体を軽く引き回すことが出来るため、掃除がけ負担が大幅軽減される。また、ホースを引いたときに、本体が前方に移動するように電動走行ユニットの走行ローラーを駆動すれば、本体を常に使用者の近くに寄せて置くことが出来るため、家具や壁に掃除機本体が引っ掛るといったチャンスも少なくなり使い勝手のよい電気掃除機が提供できる。又、軸内にリード線を配することで、リード線の配線処理が容易で、しかも、本体走行時にリード線がねじれたりすることが無い。
【０００７】
また、本発明の電気掃除機は、塵埃を集塵する集塵室と電動送風機が配設された本体と、電動機と前記電動機で回転駆動される走行ローラーからなり前記本体の下部に回転自在に設けられると共に前記本体を走行させるための電動走行ユニットと、走行用の走行キャスターまたは走行車輪と、前記本体の下部に設けられ前記電動走行ユニットの回転を規制する回転規制手段とを備えたもので、じゅうたん上などの掃除でも本体を軽く引き回すことが出来るため、掃除がけ負担が大幅軽減される。また、ホースを引いたときに、本体が前方に移動するように電動走行ユニットの走行ローラーを駆動すれば、本体を常に使用者の近くに寄せて置くことが出来るため、家具や壁に掃除機本体が引っ掛るといったチャンスも少なくなり使い勝手のよい電気掃除機が提供できる。又、回転規制手段により、リード線のねじれ、断線を防止することができるものである。
【０００８】
又、本発明の電気掃除機は、塵埃を集塵する集塵室と電動送風機が配設された本体と、電動機と前記電動機で回転駆動される走行ローラーからなり前記本体の下部に設けられると共に前記本体を走行させるための電動走行ユニットと、走行用の走行キャスターまたは走行車輪とを備え、前記電動走行ユニットを、前記電動送風機の前方に位置する前記集塵室の下方に位置させたもので、じゅうたん上などの掃除でも本体を軽く引き回すことが出来るため、掃除がけ負担が大幅軽減される。また、ホースを引いたときに、本体が前方に移動するように電動走行ユニットの走行ローラーを駆動すれば、本体を常に使用者の近くに寄せて置くことが出来るため、家具や壁に掃除機本体が引っ掛るといったチャンスも少なくなり使い勝手のよい電気掃除機が提供できる。又、電動走行ユニットを、電動送風機の前方の集塵室の下方に位置させたので、リード線の経路を最短とすることが出来る。
【０００９】
又、本発明の電気掃除機は、塵埃を集塵する集塵室と電動送風機が配設された本体と、電動機と前記電動機で回転駆動される走行ローラーからなり前記本体の下部に設けられると共に前記本体を走行させるための電動走行ユニットと、走行用の走行キャスターまたは走行車輪とを備え、前記電動走行ユニットを前記集塵室内に突出させて設けたもので、じゅうたん上などの掃除でも本体を軽く引き回すことが出来るため、掃除がけ負担が大幅軽減される。また、ホースを引いたときに、本体が前方に移動するように電動走行ユニットの走行ローラーを駆動すれば、本体を常に使用者の近くに寄せて置くことが出来るため、家具や壁に掃除機本体が引っ掛るといったチャンスも少なくなり使い勝手のよい電気掃除機が提供できる。又、電動走行ユニットを集塵室内に突出させたことにより、電動走行ユニットの形状が集塵室内に現れるので、集塵袋又は集塵袋を装着したバスケットを集塵室内に挿入する際にそれが目安になり、集塵袋又はバスケットの取付が容易になるものである。
【発明の効果】
【００１０】
本発明の電気掃除機は、じゅうたんなどの掃除においても、本体を軽く引き回すことが出来るため掃除がけ負担が大幅軽減される。また、ホースを引いたときに、本体が前方に移動するように電動走行ユニットの走行ローラーを駆動すれば、本体を常に使用者の近くに寄せて置くことが出来るため家具や壁に掃除機本体が引っ掛るといったチャンスも少なくなり使い勝手が良く、またリード線の処理も容易である。
【発明を実施するための最良の形態】
【００１１】
第１の発明は、塵埃を集塵する集塵室と電動送風機が配設された本体と、電動機と前記電動機で回転駆動される走行ローラーからなり前記本体の下部に設けられると共に前記本体を走行させるための電動走行ユニットと、走行用の走行キャスターまたは走行車輪と、前記電動走行ユニットと前記本体とを連通する軸とを備え、前記軸内に、前記電動機に給電するためのリード線を配したもので、じゅうたん上などの掃除でも本体を軽く引き回すことが出来るため、掃除がけ負担が大幅軽減される。また、ホースを引いたときに、本体が前方に移動するように電動走行ユニットの走行ローラーを駆動すれば、本体を常に使用者の近くに寄せて置くことが出来るため、家具や壁に掃除機本体が引っ掛るといったチャンスも少なくなり使い勝手のよい電気掃除機が提供できる。又、軸内にリード線を配することで、リード線の配線処理が容易で、しかも、本体走行時にリード線がねじれたりすることが無い。
【００１２】
第２の発明は、特に、第１の発明の軸内に配したリード線と本体側のリード線をコネクターにて接続したもので、リード線の接続、配線処理が容易になるものである。
【００１３】
第３の発明は、塵埃を集塵する集塵室と電動送風機が配設された本体と、電動機と前記電動機で回転駆動される走行ローラーからなり前記本体の下部に回転自在に設けられると共に前記本体を走行させるための電動走行ユニットと、走行用の走行キャスターまたは走行車輪と、前記本体の下部に設けられ前記電動走行ユニットの回転を規制する回転規制手段とを備えたもので、じゅうたん上などの掃除でも本体を軽く引き回すことが出来るため、掃除がけ負担が大幅軽減される。また、ホースを引いたときに、本体が前方に移動するように電動走行ユニットの走行ローラーを駆動すれば、本体を常に使用者の近くに寄せて置くことが出来るため、家具や壁に掃除機本体が引っ掛るといったチャンスも少なくなり使い勝手のよい電気掃除機が提供できる。又、回転規制手段により、リード線のねじれ、断線を防止することができるものである。
【００１４】
第４の発明は、塵埃を集塵する集塵室と電動送風機が配設された本体と、電動機と前記電動機で回転駆動される走行ローラーからなり前記本体の下部に設けられると共に前記本体を走行させるための電動走行ユニットと、走行用の走行キャスターまたは走行車輪とを備え、前記電動走行ユニットを、前記電動送風機の前方に位置する前記集塵室の下方に位置させたもので、じゅうたん上などの掃除でも本体を軽く引き回すことが出来るため、掃除がけ負担が大幅軽減される。また、ホースを引いたときに、本体が前方に移動するように電動走行ユニットの走行ローラーを駆動すれば、本体を常に使用者の近くに寄せて置くことが出来るため、家具や壁に掃除機本体が引っ掛るといったチャンスも少なくなり使い勝手のよい電気掃除機が提供できる。又、電動走行ユニットを、電動送風機の前方の集塵室の下方に位置させたので、リード線の経路を最短とすることが出来る。
【００１５】
第５の発明は、塵埃を集塵する集塵室と電動送風機が配設された本体と、電動機と前記電動機で回転駆動される走行ローラーからなり前記本体の下部に設けられると共に前記本体を走行させるための電動走行ユニットと、走行用の走行キャスターまたは走行車輪とを備え、前記電動走行ユニットを前記集塵室内に突出させて設けたもので、じゅうたん上などの掃除でも本体を軽く引き回すことが出来るため、掃除がけ負担が大幅軽減される。また、ホースを引いたときに、本体が前方に移動するように電動走行ユニットの走行ローラーを駆動すれば、本体を常に使用者の近くに寄せて置くことが出来るため、家具や壁に掃除機本体が引っ掛るといったチャンスも少なくなり使い勝手のよい電気掃除機が提供できる。又、電動走行ユニットを集塵室内に突出させたことにより、電動走行ユニットの形状が集塵室内に現れるので、集塵袋又は集塵袋を装着したバスケットを集塵室内に挿入する際にそれが目安になり、集塵袋又はバスケットの取付が容易になるものである。
【００１６】
以下、本発明の実施の形態について、図面を参照しながら説明する。なお、この実施の形態によりこの発明が限定されるものではない。
【００１７】
（実施の形態１）
図１は、本発明の第１の実施の形態における電気掃除機の本体の側面図、図２は、同電気掃除機の要部断面図、図３は、同電気掃除機の底面図である。
【００１８】
図１から図３において、電気掃除機の本体１の後部には、吸引風を発生させる電動送風機３が設けられ、電動送風機３の吸引風の上流側、すなわち電動送風機３の前方には、塵埃を集塵する紙袋（図示せず）などを収納するための集塵室２が設けられている。
【００１９】
さらに本体１の底部には、電動走行ユニット４が、本体１の下方に突出すると共に、本体１の前部を所定角度（例えば、１３度）上方に持ち上げた状態に設けられている。電動走行ユニット４は、電動機５と、走行ローラー７と、電動機５の回転数を減速して走行ローラー７を駆動するギヤーユニット６と、前記電動機５とギヤーユニット６を収納する外郭１３とから構成されている。また、走行ローラー７の軸７ａは、メタル軸受やボールベアリング軸受などからなる軸受１４を介して、外郭１３に回転自在に支持されている。
【００２０】
制御手段である回転検知センサー１６は、例えばポテンショメーターまたはフォトインターラプターまたは磁気検知のＭＲ素子、ホール素子、ホールＩＣ、リードスイッチなどで構成されている。
【００２１】
また、電動走行ユニット４は弾性手段であるコイルばね１５を介して本体１下部に回転自在に設けられ、集塵室２の前部には、集塵室２と連通すると共に、ホース８の一端が接続されるホース接続部９が設けられ、同ホース接続部９の下方に上記電動走行ユニット４が配設されている。
【００２２】
ホース接続部９は、ホース８、集塵室２、電動送風機３へと流れる吸引風の通路を形成する本体１の前部に位置している。更に、電動走行ユニット４は、本体１の前方に突出させて設けられている。
【００２３】
また、電動走行ユニット４には、その電動走行ユニット４と本体１とを連通し電動走行ユニット４の回転軸となる軸１０が形成されており、軸１０を回転中心軸として電動走行ユニット４は、本体１に軸支されると共に軸１０内部には、電動機５に給電するためのリード線１１が通され、それと本体１内の電動送風機３等に接続される電気掃除機本体側リード線１ａとがコネクター１８で結線されている。
【００２４】
１２は、軸１０を回転中心軸として回転する電動走行ユニット４の回転範囲を規制する回転規制手段となるリブで、本体１の下部に形成されている。電動走行ユニット４の外郭１３は、走行ローラー７を覆うカバー体を兼ねている。ここで前記軸１０を回転中心軸として電動走行ユニット４が、本体１に軸支されている為、走行ローラー７を有する電動走行ユニット４は、走行キャスターとして機能している。１７は、本体１の後部左右に配設された走行キャスターとなる後部キャスターである。
【００２５】
以上のように構成された本実施の形態における電気掃除機について、以下その動作、作用を説明する。
【００２６】
本体１が掃除中にホース８などで僅かに引っ張られると、走行ローラー７が僅かに回転することになる。その僅かな回転を、制御手段である回転検知センサー１６で検知すると電動機５に所定時間電力を供給するよう制御する。電動機５が給電され所定時間回転するとギヤーユニット６で減速され走行ローラー７が所定時間回転し、本体１が、ホース８が引っ張られた方向に移動することになる。
【００２７】
以上のように本実施の形態によれば、本体１を僅かに引っ張るだけで本体１が所定時間電動で移動するため操作力が低減されるよう動作する。
【００２８】
また、本体１の前部が所定角度（１３度）上方を向いていることにより、使用者にとって、ホース８を引張るのが容易になり、更に軽い力で本体１を引き回すことが出来るようになる。
【００２９】
本実施の形態では、１３度本体１の前部を上方に向くように構成しているが、これは、５度以下では効果が薄く、２０度以上では、本体１が転倒しやすくなる傾向にあり移動操作がしづらくなることから設定したもので、５度〜２０度の範囲であれば同様の効果が得られるが、望ましくは１０度〜１５度が最適である。
【００３０】
また、電動走行ユニット４は、弾性手段であるコイルばね１５を介して本体１下部に設けられている為、電動走行ユニット４にクッション性を持たせて室内の段差等の乗り越えもスムーズに行うことが出来、更に軽い力で本体１を引き回すことを出来る。なお、電動走行ユニット４の弾性手段は、コイルばね１５に限らずエアーシリンダー等でも良いことは言うまでもないことである。
【００３１】
また、集塵室２に設けたホース接続部９の下方に電動走行ユニット４を配設したことにより、ホース８、集塵室２、電動送風機３へと流れる吸引風の通路とは隔離したスペースに電動走行ユニット４を構成することで、吸引風のエアー漏れがない構成にすることが出来る。
【００３２】
また、ホース接続部９の下方は、ホース８、集塵室２、電動送風機３へと流れる吸引風の通路を形成する本体１の前部に位置しており、比較的広いスペースを必要とする集塵室２、電動送風機３部分から比較的細いパイプ状のホース８が接続されるホース接続部９の下方部分に吸引風の通路とは隔離された空洞部が生じ、この部分に電動走行ユニット４を構成することで、吸引風のエアー漏れがない構成とすることが出来る。
【００３３】
更に電動走行ユニット４は、本体１の前方に突出させていることにより、本体１の先端が先細りして尖った形態となるため家具や壁への引掛りを防止し、家具間などの狭い場所でのすり抜け性が改善されるものである。また、電動走行ユニット４に形成された本体１と連通し電動走行ユニット４の回転中心軸となる軸１０内部にリード線１１を通すことで、リード線１１の処理を容易にすることができるものである。
【００３４】
また、リード線１１を、電気掃除機本体側リード線１ａとコネクター１８にて接続とすることで更にリード線１１の処理が容易になる。
【００３５】
更に、軸１０を回転中心軸として回転する電動走行ユニット４の回転範囲は、本体１の下部に形成されたリブ１２によって規制されており、これによりリード線１１のねじれ、断線を防止している。電動走行ユニット４の回転範囲の規制は、リブ１２に限らず凹み、段差等でも良いことは言うまでもない。
【００３６】
また、電動走行ユニット４の外郭１３は、走行ローラー７を覆うカバー体を兼ねているので、走行ローラー７用のカバー体を別途設ける必要が無く、部品点数を削減することができる。また、走行ローラー７の軸受１４をメタル軸受やボールベアリング軸受で形成したことにより、走行ローラー７の軸受部の回転抵抗が軽減され回転性が向上し、更に軽い力で本体１を引き回すことが出来る。
【００３７】
なお、上記実施の形態では、本体１の後部底面に、走行用に後部キャスター１７を設けたが、本体１の後部両側面に走行車輪を回転自在に設けても良い。
【００３８】
（実施の形態２）
図４は、本発明の第２の実施の形態における電気掃除機の集塵室部分を断面した電気掃除機の本体の側面図である。なお、上記第１の形態と同一部分については、同一符号を付してその説明を省略する。
【００３９】
本実施の形態は、図４に示すように、電動送風機３前部の集塵室２の下方に電動走行ユニット４を配設すると共に電動走行ユニット４を集塵室２内に突出させて設けたもので、本構成により、電動送風機３と電動走行ユニット４を隣接させることができリード線１１の経路を最短とすることができる。また、電動走行ユニット４が集塵室２内に突出しているので、集塵室２内に電動走行ユニット４の形状が突出することになり、それにより集塵室２内の形状的な方向性を容易に認識し、それを目安にして、集塵室２内に挿入する集塵袋２３又は集塵袋２３を装着したバスケット２４の集塵室２内に容易に取付けることができる。
【産業上の利用可能性】
【００４０】
以上のように、本発明にかかる電気掃除機は、電気掃除機の移動を電動走行ユニットの配置その他によって軽がる移動出来て掃除に掛かる負担が大幅に低減することが出来、また、ホースを引いたときに、本体が前方に移動するように電動走行ユニットの走行ローラーを駆動すれば、本体を常に使用者の近くに寄せて置くことが出来るため、壁や家具への引っ掛りも大幅に低減出来るもので、家庭用、業務用等の各種電気掃除機に幅広く応用できる。
【図面の簡単な説明】
【００４１】
【図１】本発明の実施の形態１における電気掃除機の本体の側面図
【図２】同電気掃除機の要部断面図
【図３】同電気掃除機の底面図
【図４】本発明の実施の形態２における電気掃除機の集塵室部分を断面した電気掃除機の本体の側面図
【図５】従来の電気掃除機の概略構成図
【符号の説明】
【００４２】
１    本体
２    集塵室
３    電動送風機
４    電動走行ユニット
５    電動機
６    ギヤーユニット
７    走行ローラー
８    ホース
９    ホース接続部
１０  軸
１１  リード線
１２  リブ（回転規制手段）
１３  外郭
１４  軸受
１５  コイルばね（弾性手段）
１６  回転検知センサー
１８  コネクター
２３  集塵袋
２４  バスケット
【図１】
2008073403.tif 000003
【図２】
2008073403.tif 000004
【図３】
2008073403.tif 000005
【図４】
2008073403.tif 000006
【図５】
2008073403.tif 000007